(57)【特許請求の範囲】
【請求項１】
壁面に設置されるベース板と、ベース板の前方に配置される四角形状のフロント板とから成り、ベース板は、一対の凹溝をその上縁から切り欠いて有するものであり、フロント板は、写真を着脱自在に収納する収納体を後面に有し、収納した写真を前方から視認可能とする写真窓を中央部に有し、後方に突出する係止具を３つの角部分に有するものであり、フロント板の隣接する任意の一対の角部分に配置した係止具が、ベース板の一対の凹溝にそれぞれ着脱自在に係止されることにより、ベース板に対して、写真を保持したフロント板が着脱及び縦横変更自在に装着されるように設けたことを特徴とする写真フレーム。
【請求項２】
フロント板とベース板の互いの対向部分に、吸引力を生じさせる磁性体を設けたことを特徴とする請求項１に記載の写真フレーム。
【請求項３】
請求項１又は２に記載の写真フレームを用いた写真展示システムであって、複数のベース板を、壁面の上下左右方向の少なくとも一方向に配列させ、各ベース板に対して、写真を保持したフロント板がそれぞれ着脱及び縦横変更自在に装着されるように設けたことを特徴とする写真展示システム。
【発明の詳細な説明】
【技術分野】
【０００１】
本発明は、壁面に写真を展示するための技術に関する。
【背景技術】
【０００２】
写真スタジオ等の店舗や一般家庭において、所望の写真を壁面に展示しておこうとする場合、その写真を前後から挟み込んでセットした写真フレーム（特許文献１参照）を、紐等を用いて、壁面のフックに引っ掛けて吊るすことが一般的である。
【先行技術文献】
【特許文献】
【０００３】
【特許文献１】特開平７−１４８０５６号公報
【発明の概要】
【発明が解決しようとする課題】
【０００４】
上記した従来の写真フレームを用いて壁面に写真を展示する場合、紐で吊るした写真フレームが傾きやすいという問題がある。そのため、写真交換やレイアウト変更を行う場合に、そのつど写真フレームの水平が合うように（つまり、写真の上縁や下縁がきっちりと水平を維持するように）調整するといった面倒な作業が要求される。
【０００５】
特に、近年の店舗等では、比較的高い位置に多数の写真を展示することが多く、また、写真を交換する頻度も高い。さらに、写真交換の際に、その写真にあわせて写真フレームの縦横が変更される場合も多い。
【０００６】
本発明は前記の問題点に鑑みて発明したものであって、高い位置であっても容易に写真を交換することができ、その際の写真フレームの縦横変更も容易であり、しかも、それら写真フレームの水平を容易に合わせることのできる写真フレーム、及び、これを用いた写真展示システムを提供することを、課題とする。
【課題を解決するための手段】
【０００７】
前記課題を解決するため、本発明の写真フレームを、下記構成を具備したものとする。
【０００８】
本発明の写真フレームは、壁面に設置されるベース板と、ベース板の前方に配置される四角形状のフロント板とから成り、ベース板は、一対の凹溝をその上縁から切り欠いて有するものであり、フロント板は、写真を着脱自在に収納する収納体を後面に有し、収納した写真を前方から視認可能とする写真窓を中央部に有し、後方に突出する係止具を３つの角部分に有するものであり、フロント板の隣接する任意の一対の角部分に配置した係止具が、ベース板の一対の凹溝にそれぞれ着脱自在に係止されることにより、ベース板に対して、写真を保持したフロント板が着脱及び縦横変更自在に装着されるように設けたことを特徴とする。
【０００９】
本発明の写真フレームは、フロント板とベース板の互いの対向部分に、吸引力を生じさせる磁性体を設けたことを、さらなる特徴としてもよい。
【００１０】
また、前記課題を解決するため、本発明の写真展示システムを、下記構成を具備したものとしてもよい。
【００１１】
本発明の写真展示システムは、前記した本発明の写真フレームを用いた写真展示システムであって、複数のベース板を、壁面の上下左右方向の少なくとも一方向に配列させ、各ベース板に対して、写真を保持したフロント板がそれぞれ着脱及び縦横変更自在に装着されるように設けたことを特徴とする。
【発明の効果】
【００１２】
本発明は、写真フレームの縦横変更が容易であり、それら写真フレームの水平を容易に合わせることができ、しかも、高い位置であっても容易に写真を交換することができるという効果を奏する。
【図面の簡単な説明】
【００１３】
【図１】本発明の一実施形態の写真フレームの正面図である。
【図２】同上の写真フレームの側面図である。
【図３】同上の写真フレームを構成するベース板を示し、（ａ）は正面図、（ｂ）は側面図である。
【図４】同上の写真フレームを構成するフロント板を示し、（ａ）は正面図、（ｂ）は側面図である。
【図５】本発明の一実施形態の写真展示システムを店舗に設置した場合の外観図である。
【発明を実施するための形態】
【００１４】
本発明を、添付図面に示す実施形態に基づいて説明する。図１〜図４には、本発明の一実施形態の写真フレームＡを示している。図５には、この写真フレームＡを複数用いて構成した店舗用の写真展示システムＢを示している。
【００１５】
まず、本実施形態の写真フレームＡについて詳述する。
【００１６】
図１、図２に示すように、本実施形態の写真フレームＡは、壁面Ｗに設置されるベース板１と、このベース板１の前方に配置されるフロント板２とを用いて形成される。フロント板２は、ベース板１に対して上方から引っ掛け係止されるものであり、本実施形態では、さらに磁力を用いてベース板１に吸着されるように設けている。この写真フレームＡを用いて展示する写真Ｐは、フロント板２の後面２ｅ側に保持される。
【００１７】
図３（ａ）はベース板１の正面図であり、図３（ｂ）はベース板１の側面図である。図示のように、ベース板１は、上下左右に四つの角部分を有する部材であって、ベース板１の上縁１ａと左右の側縁１ｂ，１ｃとの間には、それぞれ直角な角部分を有する。また、左右の側縁１ｂ，１ｃと下縁１ｄとの間には、それぞれ斜め４５度の面取りを施した角部分を有する。
【００１８】
ベース板１の後面１ｅには、上下左右の４箇所の角部分に、ブロック状のスペーサ３をそれぞれ固定している。これらスペーサ３を介して、ベース板１を壁面Ｗに取り付け固定することで、壁面Ｗとベース板１との間に所定スペースＳが確保される（図２参照）。
【００１９】
ベース板１の前面１ｆの下縁１ｄ近傍には、この下縁１ｄと沿うように矩形薄板状の磁性体４を固定している。また、ベース板１の前面１ｆの一方（ここでは左側）の側縁１ｂ近傍にも、同じく側縁１ｂと沿うように矩形薄板状の他の磁性体４を固定している。
【００２０】
さらに、ベース板１の上縁１ａからは、一対の凹溝５を切り欠いて形成している。左右の凹溝５は所定寸法Ｌをあけて形成しており、それぞれの凹溝５が、ベース板１の左上及び右上の角部分に位置するように設けている。
【００２１】
図４（ａ）はフロント板２の正面図であり、図４（ｂ）はフロント板２の側面図である。図示のように、フロント板２は、ベース板１と同様、上下左右に四つの角部分を有する四角形状の部材である。つまり、フロント板２の上縁２ａと左右の側縁２ｂ，２ｃとの間にそれぞれ角部分を有し、さらに、左右の側縁２ｂ，２ｃと下縁２ｄとの間にもそれぞれ角部分を有する。なお、本実施形態では、４つの角部分にそれぞれを円弧状の面取りを施している。フロント板２は、正面から視たときにベース板１全体を隠すように、ベース板１よりも僅かに大きな外形に設けている。
【００２２】
フロント板２は透明なアクリル板から成り、その前面２ｆには、中央を開口させた不透明な化粧部材６を一体に貼着している。この中央の開口部分が、額縁状の化粧部材６に囲まれる透明な写真窓７となる。なお、フロント板２は縦横寸法が同一の正方形状の外形を有し、写真窓７は縦横寸法の異なる長方形状の外形を有する。
【００２３】
フロント板２の後面２ｅには、写真Ｐを着脱自在に収納することのできる収納体８を配置している。収納体８は、写真窓７よりも一回り大きな外形を有する透明な可撓薄板を用い、この可撓薄板の外縁部分を、一部だけ残してフロント板２の後面２ｅに接着させたものである。この収納体８の、フロント板２に接着されない一部の縁部分（本実施形態では、図１、図４（ａ）の収納体８の上縁部）を通じて、フロント板２の後面２ｅと収納体８との間のポケット部分に、写真Ｐが出し入れされる。収納体８に収納された写真Ｐは、その外縁部が額縁状の化粧部材６に隠され、他の部分が、透明な写真窓７を通じて正面側から視認可能となる。化粧部材６には、木目調等の多様な模様をプリントしておくことができる。
【００２４】
また、フロント板２の３つの角部分には、後面２ｅから後方に突出するように、係止具９をそれぞれ配している。係止具９は、フロント板２を貫通するように配したボルト部９ａと、このボルト部９ａの後方に突出する部分に螺合して一体化されるナット部９ｂとを用いて形成される。
【００２５】
このナット部９ｂと、フロント板２の後面２ｅとの間には、一定の寸法だけ隙間を設けている。この寸法は、ベース板１の厚みと略同一の寸法である。このナット部９ｂにより、所定スペースＳ内にてベース板１の後面１ｅに引っ掛かる突出部１０が形成される。
【００２６】
各係止具９のボルト部９ａにおいて、フロント板２から前方に突出した部分には、円筒状のキャップ１１を固定させている。このキャップ１１は、係止具９の突出部分を隠すことで安全性ならびに意匠性の向上を図るものであり、正面からみたときに、額縁状をなす化粧部材６の３つの角部分に配置される。
【００２７】
フロント板２に配置した都合３つの係止具９は、隣接する２つの係止具９同士を、ともに所定寸法Ｌだけあけた位置に設けている。つまり、図１や図４（ａ）中のフロント板２の、上側の左右両端の角部分にある一対の係止具９は、所定寸法Ｌだけ左右方向にあけて位置しており、右側の上下両端の角部分にある一対の係止具９は、所定寸法Ｌだけ上下方向にあけて位置している。
【００２８】
ここで、上側の右端の角部分にある係止具９が、３つの係止具９のうち中央の係止具９となる。この中央の係止具９に対して、隣接する一方の係止具９の位置する方向（左方向）と、隣接する他方の係止具９の位置する方向（下方向）とが、直角をなすように設けている。
【００２９】
なお、係止具９は、フロント板２の少なくとも３つの角部分に配置してあればよいものであり、４つの角部分の全てに配置してあっても構わない。本実施形態では３つの角部分にだけ係止具９を配置しているので、残り１つの角部分には、他の３つの角部分に配したものと同一のキャップ１１だけを、ダミー的な役割で配置している。４つの角部分の全てにキャップ１１が存在することで、正面からみたときに、額縁（化粧部材６）を四隅でネジ止めしているように見せることができ、意匠的な統一感も与えることができる。
【００３０】
さらに、フロント板２の後面２ｅには、矩形薄板状の磁性体１２を配置している。この磁性体１２は、ベース板１に配した磁性体４との間で磁気的吸引力を発生させるものであり、磁性体４と対向する箇所に配置している。具体的には、図１や図４（ａ）中のフロント板２の後面２ｅの、下縁２ｄ近傍と左側の側縁２ｂ近傍に、それぞれ配置している。
【００３１】
磁性体１２の配置はこれに限定されないが、少なくとも、一対の長辺と一対の短辺とで囲まれた長方形状の外形を有する写真窓７の、１つの長辺の外側の位置と、１つの短辺の外側の位置に、それぞれ磁性体１２を配置することが好ましい。
【００３２】
また、磁性体４と磁性体１２は両方が永久磁石であってもよいし、一方だけが永久磁石であってもよい。一方だけが永久磁石である場合には、他方は、永久磁石に吸着する性質を有するステンレス、鉄等の強磁性体の部材を用いる。また、ベース板１自体を強磁性体で形成し、このベース板１自体が、磁性体４を吸着させる磁性体１２の役割を果たすように設けてもよい。
【００３３】
前記構成からなる本実施形態の写真フレームＡによれば、フロント板２に設けた都合３つの係止具９のうち、隣接する一対の係止具９を、ベース板１の一対の凹溝５内へと上方から挿入し、引っ掛け係止することにより、ベース板１に対してフロント板２を着脱自在に装着することができる。また、係止に用いる係止具９の対を変更することで、写真Ｐに合わせて、フロント板２の縦横を容易に変更することもできる。
【００３４】
そして、いずれの場合であっても、写真Ｐを保持したフロント板２の水平姿勢は、一対の凹溝５内にそれぞれ係止具９を係止させるだけで、容易に合わせることができる。
【００３５】
なお、図１、図２に示すようなフロント板２の装着状態において、写真窓７は縦長の姿勢となる。そのため、図示の装着状態は、縦長で撮影した写真Ｐを展示する場合に用いる。このとき、フロント板２は写真窓７の上側が二箇所で引っ掛け係止され、且つ、写真窓７の図中左側と下側が磁力により吸着される。したがって、装着する際には、まずフロント板２を手で掴んでベース板１との位置を合わせ、凹溝５の上方から係止具９を挿入してセットするだけでよい。フロント板２から手を離せば、フロント板２はきっちりと水平を合わせた姿勢でベース板１を隠すように重なり、磁性体４，１２同士の磁気的吸引力によって、その装着姿勢のまま強固に保持される。
【００３６】
このとき、写真Ｐは、フロント板２をベース板１に装着する前の段階でフロント板２の収納体８に収納させることができる。そのため、仮に写真Ｐを展示しようとする場所が壁面Ｗの高い場所であっても、ベース板１だけあらかじめ配置しておけば、その高い場所にも容易にフロント板２を装着し、写真Ｐを展示することができる。
【００３７】
写真Ｐを他のものに交換しようとする場合には、まずフロント板２を手で掴み、係止具９の凹溝５内での係止は維持したままフロント板２の下側を前方に持ち上げればよい。これにより、磁性体４，１２同士の磁気的吸引力は解除されるので、そのうえでフロント板２を上方に持ち上げれば、フロント板２を写真Ｐごと容易に取り外すことができる。その後は、手元の作業でフロント板２に収容する写真Ｐを交換し、再びフロント板２を装着すればよい。
【００３８】
この際、横長で撮影した写真Ｐに交換するのであれば、これに合わせてフロント板２の縦横も変更する。具体的には、フロント板２を、図１、図４（ａ）に示す姿勢から反時計回りに９０度回転させ、写真窓７が横長となるように設けたうえで、同様の手順でフロント板２を装着する。このとき、横長となった写真窓７の下方に位置する磁性体４，１２同士が磁気的に吸着する。つまり、写真窓７上方での係止具９を用いた引っ掛け係止と、写真窓７下方での磁気体４，１２同士の吸着作用により、フロント板２は、水平をきっちりと合わせた姿勢で強固に保持される。
【００３９】
次に、本発明の一実施形態の写真展示システムＢについて、図５に基づいて詳述する。図示の店舗では、入口近くの壁面Ｗに、本実施形態の写真展示システムＢを用いて、多数の写真Ｐを上下マトリクス状に配列している。
【００４０】
本実施形態の写真展示システムＢは、図１〜図４に示す写真フレームＡを、複数用いたものである。図５中ではフロント板２に隠れて視認されないが、本実施形態の写真展示システムＢでは、写真フレームＡを形成するベース板１として同一寸法形状のものを、縦横をきっちり合わせたうえであらかじめ上下左右に複数配列させている。そして、これら各ベース板１に対して、写真Ｐを保持したフロント板２がそれぞれ装着されている。これら各フロント板２も、やはり同一寸法形状のものを用いる。
【００４１】
前記したように、写真Ｐを後面２ｅ側に保持したフロント板２は、ベース板１に対してそれぞれが容易に着脱され、特に、高い位置に配列されるベース板１に対しても容易に着脱される。そして、フロント板２の装着時には、引っ掛け係止と磁気的吸引力によって、ベース板１に対してフロント板２が強固に保持される。
【００４２】
また、各フロント板２は、写真Ｐに合わせてその縦横を容易に変更することができる。ここで、各フロント板２の外形は、縦横寸法が同一である正方形状に設けているので、全て又は一部のフロント板２の縦横を変更しても、写真展示コーナー全体のバランスは崩れることがなく、縦横の位置がきっちりと合う整然とした配列が維持される。本実施形態では、上側と下側の２列の写真Ｐが横長で配置され、その間の１列の写真Ｐが縦長で配置されているが、フロント板２の縦横の位置は全体できっちりと合っており、統一感が得られている。
【００４３】
したがって、店舗等の写真展示コーナーにおいて、展示する複数の写真Ｐ全体の交換作業や、写真Ｐのレイアウトの変更作業が非常に容易であり、これら作業の前後で写真展示コーナー全体のバランスが崩れることもない。写真展示コーナー全体の雰囲気を変えたい場合には、壁面Ｗに配置しているベース板１はそのままで、これに引っ掛け係止するフロント板２だけ、化粧部材６の模様が異なる別バージョンのフロント板２に交換すればよい。
【００４４】
なお、本実施形態では、上下３列と左右３列の都合９つのベース板１を壁面Ｗに配置しているが、ベース板１の配置は任意に選択可能であり、壁面Ｗの上下左右方向の一方向にだけベース板１を配列させた構成であってもよい。
【００４５】
また、本実施形態では、配置板１５上に複数のベース板１を固定させ、この配置板１５を壁面Ｗに固定することで壁面Ｗ上に複数のベース板１を設置しているが、ベース板１を壁面Ｗ上に直接固定してもよい。
【００４６】
上述したように、本実施形態の写真フレームＡは、壁面Ｗに設置されるベース板１と、ベース板１の前方に配置される四角形状のフロント板２とから成る。ベース板１は、一対の凹溝５をその上縁１ａから切り欠いて有するものである。フロント板２は、写真Ｐを着脱自在に収納する収納体８をその後面２ｅに有し、収納した写真Ｐを前方から視認可能とする写真窓７を中央部に有し、後方に突出する係止具９を３つの角部分に有するものである。そして、フロント板２の隣接する任意の一対の角部分に配置した係止具９が、ベース板１の一対の凹溝５にそれぞれ着脱自在に係止されることにより、ベース板１に対して、写真Ｐを保持したフロント板２が着脱及び縦横変更自在に装着されるように設けている。
【００４７】
したがって、本実施形態の写真フレームＡによれば、あらかじめベース板１を壁面Ｗに配置しておけば、そのベース板１の凹溝５に対して係止具９を係止させるだけで、フロント板２を容易に装着することができる。フロント板２に写真Ｐを収容する作業は、ベース板１から取り外した状態のフロント板２に対して、手元の作業で行うことができる。さらに、フロント板２は縦横変更が自在である。そのため、壁面Ｗの高い位置であっても、その位置にベース板１を配置しておけば、写真Ｐを交換する作業は容易に行うことができ、その際のフロント板２の縦横変更も容易である。しかも、各フロント板２の縦横は、面倒な作業を要することなく確実に揃うことになる。
【００４８】
また、本実施形態の写真フレームＡでは、フロント板２とベース板１の互いの対向部分に、吸引力を生じさせる磁性体４，１２を設けている。したがって、フロント板２は、係止具９を用いての引っ掛け係止と、磁性体４，１２同士の磁気的な吸引力の、両方の作用によってベース板１に強固に保持される。つまり、簡単な作業によってフロント板２を強固に装着することができ、フロント板２を取り外す作業も簡単である。
【００４９】
また、本実施形態の写真展示システムＢは、前記構成を具備する写真フレームＡを用いたものであって、複数のベース板１を、壁面Ｗの上下左右方向の少なくとも一方向に配列させ、各ベース板１に対して、写真Ｐを保持したフロント板２がそれぞれ着脱及び縦横変更自在に装着されるように設けている。
【００５０】
したがって、本実施形態の写真展示システムＢによれば、あらかじめ複数のベース板１を壁面Ｗに配列しておけば、各ベース板１の凹溝５に係止具９を係止させるだけで、フロント板２を容易に装着することができ、その際のフロント板２の縦横変更も自在である。そのため、店舗等での写真Ｐの交換作業やレイアウトの変更作業が容易であるとともに、装着後の複数のフロント板２は、面倒な作業を要することなく全ての縦横がきっちりと揃うようになり、統一感に優れた写真展示コーナーが実現される。
【００５１】
以上、本発明を添付図面に示す実施形態に基づいて説明したが、本発明は前記実施形態に限定されるものではなく、本発明の意図する範囲内であれば、適宜の設計変更を行うことが可能である。
【符号の説明】
【００５２】
１  ベース板
１ａ  上縁
２  フロント板
２ｅ  後面
４  磁性体
５  凹溝
８  収納体
９  係止具
１２  磁性体
Ａ  写真フレーム
Ｂ  写真展示システム
Ｗ  壁面
【図１】
0005156081.tif 000002
【図２】
0005156081.tif 000003
【図３】
0005156081.tif 000004
【図４】
0005156081.tif 000005
【図５】
0005156081.tif 000006